(57)【特許請求の範囲】
【請求項１】
つなぎ合わせ端を有し、そして、ヒンジ・ブラケットのアームの表面を覆うカバー壁と、そのつなぎ合わせ端を除くそのカバー壁の周囲からそのカバー壁の裏面側に突き出される側壁と、そのつなぎ合わせ端寄りでその側壁において向き合う裏面に突き出され、そして、そのアームの裏面側でそのアームの周囲縁に掛けられる一対の外爪と、その外爪の近傍で互いに向き合ってそのカバー壁のその裏面に所定の間隔を置いて突き出され、そして、そのアームのその表面側からそのアームの一対の穴に通してはめ込まれてそのアームのその裏面側でその穴の開口縁に掛けられる一対の内爪とを含み、そして、その外爪および内爪が共に内方に向かう返しを備えるところの乗り物シートのヒンジ・ブラケットに使用されるアーム・カバー。
【発明の詳細な説明】
【０００１】
【発明の関係する分野】
この発明は、乗り物シートのヒンジ・ブラケットに使用されるアーム・カバーに関する。
【０００２】
【背景技術】
自動車シートのヒンジ・ブラケットは、シート・クッション・ブラケットにシート・バック・ブラケットをシャフトでヒンジ結合し、そして、それらをカバーで覆って組み立てるのが一般である。特に、フリー・ヒンジ・ブラケットでは、シート・クッション・ブラケットが互いに面一に重ね合わせてつなぎ合わせられるアーム・カバーおよびアーム・ボス・カバーで覆われるのが一般でそのアーム・カバーは、互いに離された複数のフックを一体的に成形してそのフックでそのシート・クッション・ブラケットのアームに止められるので、分別解体が非常に難かしく、そして、リサイクルは労力が必要で厄介であった。勿論、そのアーム・ボス・カバーも同様である。
【０００３】
【発明の課題】
この発明の課題は、ヒンジ・ブラケットのアームに確りと固定的に組み付けでき、そして、解体の際、そのアームから簡単に取り外しできて分別解体を容易にし、そして、リサイクルを容易に可能にするところの乗り物シートのヒンジ・ブラケットに使用されるアーム・カバーの提供にある。
【０００４】
【課題に相応する手段およびそれの作用】
この発明は、つなぎ合わせ端を有し、そして、ヒンジ・ブラケットのアームの表面を覆うカバー壁と、そのつなぎ合わせ端を除くそのカバー壁の周囲からそのカバー壁の裏面側に突き出される側壁と、そのつなぎ合わせ端寄りでその側壁において向き合う裏面に突き出され、そして、そのアームの裏面側でそのアームの周囲縁に掛けられる一対の外爪と、その外爪の近傍で互いに向き合ってそのカバー壁のその裏面に所定の間隔を置いて突き出され、そして、そのアームのその表面側からそのアームの一対の穴に通してはめ込まれてそのアームのその裏面側でその穴の開口縁に掛けられる一対の内爪とを含み、そして、取り外しには、その内爪に近いところでそのカバー壁の表面を押しながらその外爪のところのその側壁を開くと、その外爪もその内爪も外れ方向に開かれて解体可能にする。
【０００５】
【具体例の説明】
以下、特定されて図示された具体例に基づいて、この発明の乗り物シートのヒンジ・ブラケットに使用されるアーム・カバーを説明するに、図１ないし図３は、ワゴンのサード・シートにおいてフリー・ヒンジ・ブラケットに活用されるところのこの発明の乗り物シートのヒンジ・ブラケットに使用されるアーム・カバーの具体例１０を示し、そのアーム・カバー１０は硬質樹脂から成形され、そして、そのアーム・カバー１０では、カバー壁１１が、つなぎ合わせ端１９を有し、そして、そのフリー・ロンジ・ブラケットにおいてシート・クッション・ブラケットのアームの表面を覆う形にされ、また、側壁１２が、そのつなぎ合わせ端１９を除くそのカバー壁１１の周囲からそのカバー壁１１の裏面１８側に突き出され、さらに、一対の外側１３，１４が、そのつなぎ合わせ端１９寄りでその側壁１２において向き合う裏面２１に突き出され、そして、そのアームの裏面側でそのアームの周囲縁に掛け可能にされ、またさらに、一対の内爪１５，１６が、その外爪１３，１４の近傍で互いに向き合ってそのカバー壁１１のその裏面１８に所定の間隔を置いて突き出され、そして、そのアームのその表面側からそのアームの一対の穴に通してはめ込まれてそのアームのその裏面側でその穴の開口縁に掛け可能にされる。
【０００６】
そのカバー壁１１は、そのつなぎ合わせ端１９を段付け面２０に形成してアーム・ボス・カバーのつなぎ合わせ端に重ね合わせて、そのアーム・ボス・カバーにそのアーム・カバー１０を面一につなぎ合わせ可能にする。
【０００７】
その側壁１２は、そのアーム・カバー１０の内部にそのアームを収めるに十分な長さに伸びてそのつなぎ合わせ端１９を除くそのカバー壁１１の周囲からそのカバー壁１１の裏面１８側に突き出される。
【０００８】
その外爪１３，１４の一方１３は、そのつなぎ合わせ端１９に合わせられてその側壁１２のその裏面２１に突き出される。具体的には、その外爪１３は、返し２２をそのアームの肉厚に合わせてその返し２２をそのカバー壁１１のその裏面１８に向けてその側壁１２のその裏面２１に突き出されている。そのように、そのつなぎ合わせ端１９に合わせられているその外爪１３は、そのアーム・カバー１０がそのアーム・ボス・カバーに重ね合わせてつなぎ合わせられる際、位置決めに活用される。
【０００９】
その外爪１３，１４の他方１４は、そのつなぎ合わせ端１９から適宜に離れてその側壁１２のその裏面２１に突き出される。具体的には、その外爪１４は、返し２３をそのアームの肉厚に合わせてその返し２３をそのカバー壁１１のその裏面１８に向けてその側壁１２のその裏面２１に突き出されている。
【００１０】
その一対の内爪１５，１６は、返し２４，２５をそのアームの肉厚に合わせ、そして、その外爪１３，１４の近傍で互いにその返し２４，２５を向き合わせてそのカバー壁１１のその裏面１８に所定の間隔を置いて突き出されている。特に、その内爪１５，１６がその返し２４，２５をその外爪１３，１４のその返し２２，２３に合わせてその外爪１３，１４の近傍に配置されるので、その内爪１５，１６に近いところでそのカバー壁１１の表面１７を押しながらその外爪１３，１４のところのその側壁１２を開くと、その外爪１３，１４もその内爪１５，１６も外れ方向に開かれてそのアームから容易に外れ、そして、そのアーム・カバー１０はそのアームから解体される。
【００１１】
そのアーム・カバー１０は、先端でそのカバー壁１１のその裏面１８にボルト・ピン受け２６を突き出し、また、そのボルト・ピン受け２６の近傍でそのカバー壁１１のその裏面１８にリブ２７を突き出してそのリブ２７でその側壁１２を補強している。
【００１２】
したがって、そのアーム・カバー１０は、その外爪１３，１４をそのアーム・ボス・カバーのつなぎ合わせ端に押し当ててその側壁１２をそのアームにはめ合わせ、そして、そのアームに押し付けられる。そうすると、その外爪１３，１４がそのアームのその裏面側でそのアームのその周囲縁に掛けられ、一方、その内爪１５，１６がそのアームのその表面側からそのアームのその一対の穴に通してはめ込まれてそのアームのその裏面側でその穴の開口縁に掛けられ、その結果、そのアーム・カバー１０は、そのアームに確りと固定的に組み付けられてそのアームを覆う。
【００１３】
また、取り外しには、その内爪１５，１６に近いところでそのカバー壁１１のその表面１７を押しながらその外爪１３，１４のところのその側壁１２を開く。そうすると、その外爪１３，１４もその内爪１５，１６も外れ方向に開かれて、すなわち、外側に開かれてそのアームから外れ、そして、そのアーム・カバー１０はそのアームから容易に取り外される。
【００１４】
先に図面を参照して説明されたところのこの発明の特定された具体例から明らかであるように、この発明の属する技術の分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【００１５】
【発明の便益】
上述から理解されるように、この発明の乗り物シートのヒンジ・ブラケットに使用されるアーム・カバーは、つなぎ合わせ端を有し、そして、ヒンジ・ブラケットのアームの表面を覆うカバー壁と、そのつなぎ合わせ端を除くそのカバー壁の周囲からそのカバー壁の裏面側に突き出される側壁と、そのつなぎ合わせ端寄りでその側壁において向き合う裏面に突き出され、そして、そのアームの裏面側でそのアームの周囲縁に掛けられる一対の外爪と、その外爪の近傍で互いに向き合ってそのカバー壁のその裏面に所定の間隔を置いて突き出され、そして、そのアームのその表面側からそのアームの一対の穴に通してはめ込まれてそのアームのその裏面側でその穴の開口縁に掛けられる一対の内爪とを含むので、この発明の乗り物シートのヒンジ・ブラケットに使用されるアーム・カバーでは、確りとした組付けが確保され、また、解体が簡単にできて分別解体が容易になり、リサイクルが容易に可能になり、そして、希少資源の有効利用に貢献でき、その結果、乗り物シートのヒンジ・ブラケットにとって非常に有用で実用的である。
【図面の簡単な説明】
【図１】ワゴンのサード・シートにおいてフリー・ヒンジ・ブラケットに活用されるところのこの発明の乗り物シートのヒンジ・ブラケットに使用されるアーム・カバーの具体例を示した正面図である。
【図２】そのアーム・カバーを示した背面図である。
【図３】図２の３−３線に沿って示した断面図である。
【符号の説明】
１１    カバー壁
１２    側壁
１３    外爪
１４    外爪
１５    外爪
１６    外爪
１７    表面
１８    裏面
１９    つなぎ合わせ端
２１    裏面
【図１】
0003847014.tif 000002
【図２】
0003847014.tif 000003
【図３】
0003847014.tif 000004